(57)【要約】【課題】  ユーザのパーティ開催情報に応動しパーティ企画の制約情報に応じたパーティをコミュニティ主導により企画する。【解決手段】  ユーザ端末２０にコミュニティウエブサイト情報を送信し、演出家端末３４に対して演出家用ウエブサイト情報を送信するウエブサーバ１２と、ユーザ端末２０からパーティ開催情報およびカップル関係者情報を受信し記憶するメモリ装置１４と、パーティ開催情報を電子メールにより複数のカップル関係者端末へ送信し、カップル関係者端末の幹事端末からコミュニティ設立情報およびコミュニティ参加案内情報の電子メールを受信し、幹事端末から通信回線を介してパーティ制約情報をメールサーバ１６が受信した場合、このパーティ制約情報のパーティ開催日や参加人数やパーティ開催地域やパーティ規模を特定する演出家用ウエブサイト情報としてウエブサーバを更新する。【選択図】  図１
2011022928.tif 000002
【特許請求の範囲】
【請求項１】
サーバによるコミュニティの情報管理装置であって、
ユーザ端末に対してコミュニティウエブサイト情報を通信回線を介して送信するとともに、演出家端末に対して演出家用ウエブサイト情報を通信回線を介して送信するウエブサーバと、
前記ユーザ端末から通信回線および前記ウエブサーバを介してパーティ開催情報およびカップル関係者情報を受信しデータベース領域に記憶するメモリ装置と、
前記メモリ装置に記憶するカップル関係者情報から電子メールアドレスを抽出し、前記パーティ開催情報を電子メールにより複数のカップル関係者端末へ同報送信するとともに、前記カップル関係者端末の何れか１つの幹事端末からコミュニティ設立情報およびコミュニティ参加案内情報の電子メールを受信し前記複数のカップル関係者端末へ同報送信するメールサーバと、
前記幹事端末から通信回線を介してパーティ制約情報を前記メールサーバが受信した場合、このパーティ制約情報を前記演出家用ウエブサイト情報へ入力し前記ウエブサーバを更新するパーティ制約情報生成手段と、
前記演出家端末から通信回線および前記ウエブサーバを介して受信する演出家による提案情報の電子メールを前記幹事端末が受信し、この幹事端末を操作するコミュニティ参加者がパーティ制約情報に合致する演出家を選択し、前記ユーザ端末の操作者および前記幹事端末を操作するコミュニティ参加者がパーティ開催を決定しパーティ開催の決定情報を前記幹事端末から前記メールサーバを経由させて決定情報の電子メールを通信回線を介して前記複数のカップル関係者端末へ同報送信する決定情報生成手段と、
を備えたことを特徴とするサーバによるコミュニティの情報管理装置。
【請求項２】
サーバによるコミュニティの情報管理装置であって、
ユーザ端末に対してコミュニティウエブサイト情報を通信回線を介して送信するとともに、演出家端末に対して演出家用ウエブサイト情報を通信回線を介して送信するウエブサーバと、
前記ユーザ端末から通信回線および前記ウエブサーバを介して記念日のパーティ開催情報およびカップル関係者情報を受信しデータベース領域に記憶するメモリ装置と、
前記メモリ装置に記憶するカップル関係者情報から電子メールアドレスを抽出し、前記パーティ開催情報を電子メールにより複数のカップル関係者端末へ同報送信するとともに、前記カップル関係者端末の何れか１つの幹事端末からコミュニティ設立情報およびコミュニティ参加案内情報の電子メールを受信し、前記幹事端末から通信回線を介してパーティ制約情報を前記メールサーバが受信した場合、このパーティ制約情報のパーティ開催日や参加人数やパーティ開催地域やパーティ規模を特定する前記演出家用ウエブサイト情報として前記ウエブサーバを更新するメールサーバと、
前記演出家端末から通信回線および前記ウエブサーバを介して受信する演出家による提案情報の電子メールを前記幹事端末が受信し、この幹事端末を操作するコミュニティ参加者がパーティ制約情報に合致する演出家を選択し、前記ユーザ端末の操作者および前記幹事端末を操作するコミュニティ参加者がパーティ開催を決定しパーティ開催の決定情報を前記幹事端末から前記メールサーバを経由させて決定情報の電子メールを通信回線を介して前記複数のカップル関係者端末へ同報送信する決定情報生成手段と、
を備えるサーバによるコミュニティの情報管理装置。
【請求項３】
サーバによるコミュニティの情報管理方法であって、
ウエブサーバがユーザ端末に対してコミュニティウエブサイト情報を通信回線を介して送信するとともに、演出家端末に対して演出家用ウエブサイト情報を通信回線を介して送信するステップと、
前記ユーザ端末から通信回線および前記ウエブサーバを介してパーティ開催情報およびカップル関係者情報を受信しメモリ装置のデータベース領域に記憶するステップと、
前記メモリ装置に記憶するカップル関係者情報から電子メールアドレスを抽出し、前記パーティ開催情報をメールサーバが電子メールにより複数のカップル関係者端末へ同報送信するとともに、前記カップル関係者端末の何れか１つの幹事端末からコミュニティ設立情報およびコミュニティ参加案内情報の電子メールを前記メールサーバが受信し前記複数のカップル関係者端末へ同報送信するステップと、
前記幹事端末から通信回線を介してパーティ制約情報を前記メールサーバが受信した場合、このパーティ制約情報を前記演出家用ウエブサイト情報へ入力し前記ウエブサーバを更新するステップと、
前記演出家端末から通信回線および前記ウエブサーバを介して受信する演出家による提案情報の電子メールを前記幹事端末が受信し、この幹事端末を操作するコミュニティ参加者がパーティ制約情報に合致する演出家を選択し、前記ユーザ端末の操作者および前記幹事端末を操作するコミュニティ参加者がパーティ開催を決定しパーティ開催の決定情報を前記幹事端末から前記メールサーバを経由させてパーティ開催の決定情報を前記メールサーバを経由させて決定情報の電子メールを通信回線を介して前記複数のカップル関係者端末へ同報送信するステップと、
を含むサーバによるコミュニティの情報管理方法。
【請求項４】
サーバによるコミュニティの情報管理方法であって、
ウエブサーバがユーザ端末に対してコミュニティウエブサイト情報を通信回線を介して送信するとともに、演出家端末に対して演出家用ウエブサイト情報を通信回線を介して送信するステップと、
前記ユーザ端末から通信回線および前記ウエブサーバを介して記念日のパーティ開催情報およびカップル関係者情報を受信しメモリ装置のデータベース領域に記憶するステップと、
前記メモリ装置に記憶するカップル関係者情報から電子メールアドレスを抽出し、前記パーティ開催情報をメールサーバが電子メールにより複数のカップル関係者端末へ同報送信するとともに、前記カップル関係者端末の何れか１つの幹事端末からコミュニティ設立情報およびコミュニティ参加案内情報の電子メールを前記メールサーバが受信し、前記幹事端末から通信回線を介してパーティ制約情報を前記メールサーバが受信した場合、このパーティ制約情報のパーティ開催日や参加人数やパーティ開催地域やパーティ規模を特定する前記演出家用ウエブサイト情報として前記ウエブサーバを更新するステップと、
前記演出家端末から通信回線および前記ウエブサーバを介して受信する演出家による提案情報の電子メールを前記幹事端末が受信し、この幹事端末を操作するコミュニティ参加者がパーティ制約情報に合致する演出家を選択し、前記ユーザ端末の操作者および前記幹事端末を操作するコミュニティ参加者がパーティ開催を決定しパーティ開催の決定情報を前記幹事端末から前記メールサーバを経由させてパーティ開催の決定情報を前記メールサーバを経由させて決定情報の電子メールを通信回線を介して前記複数のカップル関係者端末へ同報送信するステップと、
を含むサーバによるコミュニティの情報管理方法。
【発明の詳細な説明】
【技術分野】
【０００１】
本発明は、サーバによるコミュニティの管理装置およびその管理方法に関する。例えば、所定のコミュニティに属する複数ユーザがイベント（パーティ）を企図する場合や、共通のイベント（価値観や健康意識や生活習慣）を企図するコミュニティの複数ユーザが要望する情報をインターネットを介して提供するサーバによるコミュニティの管理装置（若しくは管理システム）およびその方法に関する。
【背景技術】
【０００２】
従来は、結婚式に出席が困難な寝たきりの人、スケジュールが合わない人等であっても、結婚式の出席に代わる効果が得られるように、インターネット上にネット結婚式サイトを設け、このネット結婚式サイトに、結婚式場に設けたカメラを介して結婚式の様子を実況中継する中継基地を設け、ネット結婚式サイトに対して、ネットワークを通じてネット祝電の申込み、ネットご祝儀の申込み、ネット乾杯の申込みが可能で、その申込者の情報が所定のメモリに記憶され、必要に応じ、後の返礼配信に利用される結婚式関係行事支援システムの技術が知られている（特許文献’４１８、参照）。また、パーティ（ウェディング）の内容をより充実させてサービスの付加価値を高めるとともに、ウェディングに対して招待者にとってもより積極的に参加を行うことにより、カップルに対する祝福を行うために、初期データに基づきゲストサイトへのアクセス情報を表示した招待状を作成する招待状作成手段と、メッセージデータに基づきゲストサイトへのアクセス情報を表示したウェルカムカードを作成するカード作成手段と、ウェルカムカードに表示されたアクセス情報に基づきウェブサーバ上に設けたゲストサイトにアクセスした招待者の端末装置からウェブサーバに送信された写真データを登録する写真データ登録手段の主要部を備えるパーティ支援システムの技術が知られている（特許文献’８１２、参照）。
【先行技術文献】
【特許文献】
【０００３】
特開2004-015418号公報
特開2007-264812号公報
【発明の概要】
【発明が解決しようとする課題】
【０００４】
しかしながら、従来の支援システムでは、伝統的な結婚式形態（例えば、イベントの題目）を結婚式場の事業者が企画しカップルを祝福する招待客を集めるので、この事業者が結婚式の幹事役を務め招待状を作成し、カップは招待状の郵送作業を実施なければならないため、結婚式の段取り作業が煩わしいという課題が存在していた。また、結婚式場を運営する事業者がウエディング産業を実質的に支配しているので、従来の支援システムでは低コストで多数の企業が自由に参入させる技術が未成熟であり、カップル若しくは両家の親族が負担するコストも割高となるという課題も存在する。
【０００５】
そして、ユーザは過去に出席した多数の結婚式の主催者をコミュニティに参加させ、このコミュニティに属する方達が新たなカップルの結婚式パーティを企画することができるコミュニティ主導型のサーバによるコミュニティの情報管理装置およびその管理方法を提供することを目的とする。
【０００６】
本発明は、このような課題に対応してなされたものであり、カップルが提示するパーティプランの制約に合致する条件をアーティストまたは企業がカップルに提案するサーバによるコミュニティの情報管理装置およびその管理方法を提供することを目的とする。
【０００７】
そして、コミュニティに属するユーザは、共通の価値観に関する情報をも入手できるサーバによるコミュニティの情報管理装置およびその管理方法を提供することを目的とする。
【課題を解決するための手段】
【０００８】
上記目的を達成するために、本発明のサーバによるコミュニティの情報管理装置は、例えば、図１に示すように、サーバ１０によるコミュニティの情報管理装置であって、ユーザ端末２０ａ、２０ｂに対してコミュニティウエブサイト情報１８を通信回線（例えば、インターネット網）を介して送信するとともに、演出家端末２４ａ〜２４ｈに対して演出家用ウエブサイト情報２２を通信回線を介して送信するウエブサーバ１２と、ユーザ端末２０ａ、２０ｂから通信回線およびウエブサーバ１２を介してパーティ開催情報およびカップル関係者情報を受信しデータベース領域に記憶するメモリ装置１４と、メモリ装置１４に記憶するカップル関係者情報から電子メールアドレスを抽出し、パーティ開催情報を電子メールにより複数のカップル関係者端末へ同報送信するとともに、カップル関係者端末の何れか１つの幹事端末からコミュニティ設立情報およびコミュニティ参加案内情報の電子メールを受信し複数のカップル関係者端末へ同報送信するメールサーバ１６と、幹事端末から通信回線を介してパーティ制約情報をメールサーバ１６が受信した場合、このパーティ制約情報を演出家用ウエブサイト情報２２へ入力しウエブサーバ１２を更新するパーティ制約情報生成手段（例えば、サーバ１０に設けられたＣＰＵおよびコンピュータソフトウエアプログラム）と、演出家端末２４から通信回線およびウエブサーバ１２を介して受信する演出家による提案情報の電子メールを幹事端末２０ａまたは２０ｂが受信し、この幹事端末を操作するコミュニティ参加者がパーティ制約情報に合致する演出家を選択し、ユーザ端末の操作者および幹事端末を操作するコミュニティ参加者がパーティ開催を決定しパーティ開催の決定情報を幹事端末からメールサーバ１６を経由させて決定情報の電子メールを通信回線を介して複数のカップル関係者端末へ送信する決定情報生成手段（例えば、サーバ１０に設けられたＣＰＵおよびコンピュータソフトウエアプログラム）と、を備える。
【発明の効果】
【０００９】
以上のように、本発明のサーバによるコミュニティの情報管理装置よれば、コミュニティ主導型のパーティを企画することができるので、ユーザが担う煩雑な手間を省力化するサーバによるコミュニティの情報管理装置を提供することができる。
【図面の簡単な説明】
【００１０】
【図１】本発明のサーバによるコミュニティの情報管理装置の概略を示すブロック図。
【図２】本発明のサーバによるコミュニティの情報管理装置を利用する企業体の組織図。
【図３】本発明のサーバによるコミュニティの情報管理装置のブロック図。
【図４】本発明のサーバによるコミュニティの情報管理装置の概要を示すブロック図。
【図５】本発明のサーバによるコミュニティの情報管理装置の管理情報の流れを示すブロック図。
【発明を実施するための形態】
【００１１】
本発明の実施の一形態を図１乃至図５に基づいて説明する。本実施形態のサーバ１０によるコミュニティの情報管理装置は、コミュニティ３０に属するユーザが操作するユーザ端末としてのパーソナルコンピュータ２０ａや携帯電話端末２０ｂと通信回線（例えば、インターネット）を介して接続されている。
【００１２】
また、サーバ１０は通信回線（例えば、インターネット）を介して演出家集団３４が利用する演出家端末としてのパーソナルコンピュータ２４ａ乃至２４ｈに接続されている。
【００１３】
例えば、結婚式パーティのプランナは演出家端末としてのパーソナルコンピュータ２４ａを、パーティの演出家は演出家端末としてのパーソナルコンピュータ２４ｂを、デザイナは演出家端末としてのパーソナルコンピュータ２４ｃを、ミュージシャンやディスクジョッキＤＪは演出家端末としてのパーソナルコンピュータ２４ｄを、建築家は演出家端末としてのパーソナルコンピュータ２４えを、写真家は演出家端末としてのパーソナルコンピュータ２４ｆを、フードコーディネータは演出家端末としてのパーソナルコンピュータ２４ｇを、商品を製造するメーカは演出家端末としてのパーソナルコンピュータ２４ｈを、それぞれ操作してサーバ１０へアクセスすることができる。
【００１４】
そして、サーバ１０は広告掲載企業若しくはスポンサ企業出資者３２に設置されたパーソナルコンピュータ２６と通信回線（例えば、インターネット）を介して接続され、広告の営業情報や企業の広報情報を受信することができる。出資者３２はハートウエディング事務局２８の運営母体として事業準備費用を投資し広告費用を回収する。
【００１５】
図中の出資者３６は、ハートウエディング事務局２８の事業準備費用を投資しコミュニティ３０に属するユーザが決定した結婚式パーティを設営し運営する事業体を例示している。
【００１６】
図中の出資者３８は、ハートウエディング事務局２８の事業準備費用を出資する事業体であり、出資者４０も出資者３６と同様にハートウエディング事務局２８の事業準備費用を出資する事業体であり、出資者４２も出資者３２と同様にハートウエディング事務局２８の事業準備費用を出資する事業体である。
【００１７】
ここで、サーバ１０によるコミュニティの情報管理装置の動作について説明する。
【００１８】
サーバ１０は、ブラウザ機能付きユーザ端末２０ａまたはユーザ端末２０ｂのアクセスに応答しユーザ端末２０ａまたはユーザ端末２０ｂに対してコミュニティウエブサイト情報１８を通信回線（例えば、インターネット網）を介して送信する。
【００１９】
また、サーバ１０はブラウザ機能付き演出家端末２４ａ乃至２４ｈのアクセスに応答して演出家端末２４ａ乃至２４ｈに対して演出家用ウエブサイト情報２２を通信回線（例えば、インターネット網）を介して送信するウエブサーバ１２を有している。
【００２０】
サーバ１０は、ユーザ端末２０ａ、２０ｂから通信回線（例えば、インターネット網）およびウエブサーバ１２を介してパーティ開催情報（例えば、カップルの結婚記念日や結婚パーティ予定日）およびカップル関係者情報（例えば、Ｇｍａｉｌ（登録商標）やＦａｃｅｂｏｏｋ（登録商標）の連絡先リスト情報）を受信し（ステップＳ１）、メモリ装置１４のデータベース領域に記憶する。
【００２１】
サーバ１０は、記念日前または予定日前の所定の期間（例えば、１ヶ月前または３ヶ月前）をカレンダ情報と突合せ期間が一致した場合、メモリ装置１４に記憶するカップル関係者情報から電子メールアドレスおよび宛先情報を抽出し、メールサーバ１６がパーティ開催情報（例えば、コミュニティ参加案内状）を電子メールにより複数のカップル関係者端末（不図示の携帯電話端末またはパーソナルコンピュータ）へ同報送信する（ステップＳ２）とともに、カップル関係者端末の何れか１つの幹事端末（コミュニティ参加者が利用する携帯電話またはパーソナルコンピュータ）からコミュニティ設立情報およびコミュニティ参加案内情報の電子メールを受信し、またはウエブサイト１２のコミュニティウエブサイト１８を介して複数のカップル関係者端末へ同報送信（ステップＳ４）する。
【００２２】
サーバ１０は、パーティ制約情報生成手段（例えば、サーバ１０に設けられたＣＰＵおよびコンピュータソフトウエアプログラム）の処理を実行し、幹事端末から通信回線（例えば、インターネット網）を介してパーティ制約情報（例えば、パーティ開催日時やその規模や予定参加人数や会場地域の情報）をメールサーバ１６を経由して受信した場合、このパーティ制約情報をウエブサーバ１２に記憶する演出家用ウエブサイト情報２２へ入力しウエブサーバ１２を更新（ステップＳ６）する。
【００２３】
サーバ１０は、決定情報生成手段（例えば、サーバ１０に設けられたＣＰＵおよびコンピュータソフトウエアプログラム）の処理を実行し、演出家端末２４ａ乃至２４ｈの中から通信回線（例えば、インターネット網）およびウエブサーバ１２の演出家用ウエブサーバ２２を介して受信する演出家による提案情報の電子メールを幹事端末（コミュニティ参加者が利用する携帯電話機またはパーソナルコンピュータ）が受信（ステップＳ７）し、この幹事端末を操作するコミュニティ参加者がパーティ制約情報に合致する演出家を選択し、ユーザ端末の操作者および幹事端末を操作するコミュニティ参加者（暫定幹事）がパーティ開催をコミュニティウエブサイト１８上で決定しパーティ開催の決定情報をメールサーバ１６を経由させて決定情報（例えば、パーティ開催日時、場所、演出家の題目情報）の電子メールを通信回線（例えば、インターネット網）を介して複数のカップル関係者端末（コミュニティ参加者の端末）へ同報送信する。
【００２４】
このようにして、本実施形態のサーバ１０によるコミュニティ情報の管理装置によれば、コミュニティ主導型のパーティを企画し実行させることができ、演出家集団３４が幹事端末からサーバ１０を経由して立ち上げられた演出家用ウエブサイト２２を通信回線を介して閲覧し、この演出家用ウエブサイト２２を経由させてパーティ制約情報に合致する企画をサーバ１０へ提案することができる点で有利である。
【００２５】
また、サーバ１０に通信回線を介して接続する広告掲載企業３２のパーソナルコンピュータ２６からパーティ制約情報に合致させたスポンサーシップ活動やスポンサー企業から物品協賛を提供することもできる。
【００２６】
さらに、パーティの運営や設営は出資者３６に委託することができるので、カップルは、迂遠且つ面倒な作業を回避することができ、サーバ１０によるコミュニティの情報管理装置がパーティの企画を仲介し、費用の請求も通信回線を介してカップルが利用するユーザ端末へ請求することもでき、サーバ１０が通信回線を介してユーザ端末２０ａまたはユーザ端末２０ｂが利用している通信費用（インターネットサービスプロバイダ料金または通信回線使用料金）若しくはインタネットバンクのような金融機関の口座から自動振り替えで支払いすることもできる点でも有益である。
【００２７】
上述した実施形態では、メールサーバ１６を利用して各種情報の電子メールを同報送信または単独送信をする態様を例示したが、本発明はメールサーバ１６経由で各種情報を相互に伝送する形態に限定されず。例えば、ウエブサーバ１２を用いてコミュニティサイト１８をインターネット上に立ち上げてから、コモンゲートウエイインターフェースＣＧＩによりユーザ端末およびコミュニティ参加者の端末を相互に接続し各種情報を伝送してもよい。
【００２８】
例えば、本発明のサーバによるコミュニティの情報管理装置は、図１に示すように、サーバ１０によるコミュニティの情報管理装置であって、ユーザ端末２０ａ、２０ｂに対してコミュニティウエブサイト情報１８を通信回線（例えば、インターネット網）を介して送信するとともに、演出家端末２４ａ〜２４ｈに対して演出家用ウエブサイト情報２２を通信回線を介して送信するウエブサーバ１２と、ユーザ端末２０ａ、２０ｂから通信回線およびウエブサーバ１２を介してパーティ開催情報およびカップル関係者情報を受信しデータベース領域に記憶するメモリ装置１４と、メモリ装置１４に記憶するカップル関係者情報から電子メールアドレスおよび宛先情報を抽出し、パーティ開催情報（例えば、コミュニティウエブサイトのＵＲＬ情報）を電子メールにより複数のカップル関係者端末へ同報送信するとともに、カップル関係者端末の何れか１つの幹事端末からコミュニティ設立情報およびコミュニティ参加案内情報の電子メールを受信し複数のカップル関係者端末へ同報送信するメールサーバ１６と、幹事端末から通信回線を介してパーティ制約情報をウエブサーバ１２が受信した場合、このパーティ制約情報を演出家用ウエブサイト情報２２へ入力しウエブサーバ１２を更新するパーティ制約情報生成手段（例えば、サーバ１０に設けられたＣＰＵおよびコンピュータソフトウエアプログラム）と、演出家端末２４から通信回線およびウエブサーバ１２を介して受信する演出家による提案情報をコミュニティウエブサイト情報１８を経由させて幹事端末２０ａまたは２０ｂに提供し、この幹事端末を操作するコミュニティ参加者がパーティ制約情報に合致する演出家を選択し、ユーザ端末の操作者および幹事端末を操作するコミュニティ参加者がパーティ開催を決定しパーティ開催の決定情報を幹事端末からコミュニティウエブサイト情報に入力させて決定情報をウエブサーバ１２に記憶しコミュニティイウエブサイト情報１８を更新する決定情報生成手段（例えば、サーバ１０に設けられたＣＰＵおよびコンピュータソフトウエアプログラム）と、を備えることもできる。
【００２９】
図３は、本発明の実施形態であるコミュニティ情報の管理装置を運営する組織図である。図１と同一または類似する部材または事業体には同一または類似の符号を付して、重複する部材または事業体の説明を省略する。
【００３０】
コミュニティ３０に属するユーザはユーザ端末２０ａまたは２０ｂ（図１、参照）若しくはコミュニティ参加者端末を操作し、カップルはハートウエディング事務局２８のサーバ１０にユーザ登録、記念日の登録、パーティ制約情報、パーティの発注に関する各種情報を通信回線を介して送信する。
【００３１】
コミュニティ参加者も同様に潜在的カップルを育成することができるため、コミュニティ参加者端末を操作し、コミュニティ参加者がハートウエディング事務局２８のサーバ１０にユーザ登録、コミュニティの設置情報、参加意思の表明情報、パーティ制約の条件情報、支払情報に関する各種情報を通信回線を介して送信する。
【００３２】
上述したコミュニティ３０は、例えば「Ｊａｐａｎ−ｉ」という事業体が日本での挙式を在外者に対して誘致できるように在外者および内国民から構成してもよい。ハートウエディング事務局２８は、出資者３８や出資者４０や出資者４２から出資を受けてサーバ１０に関する事業準備資金を得ることができ、収益をこれら事業体へ還元することもできる。
【００３３】
ハートウエディング事務局２８は、サーバ１０に対して送信されるコミュニティ３０の情報、例えばサーバ１０のシステムへのデータ入力として携帯電話機は固有番号および氏名または名称、パーソナルコンピュータは電子メールアドレスおよび氏名または名称を受信する。
【００３４】
また、ハートウエディング事務局２８は、サーバ１０に対して送信されるコミュニティ３０の情報、例えばパーティ制約条件情報、パーティの発注情報、支払い許諾情報を受信する。
【００３５】
さらに、ハートウエディング事務局２８は、サーバ１０から演出家集団３４がそれぞれ使用する演出家端末２４ａ乃至２４ｈ（図１、参照）に対してパーティの営業委託情報や広告委託情報を送信する。
【００３６】
勿論、ハートウエディング事務局２８は、サーバ１０に記憶する演出家集団３４に属する演出家毎にメモリ装置１４のデータベースサービス領域に記憶した登録情報を用いて個別に登録料を請求することもでき、パーティのプラン採用決定に関するマージンも請求することもできる。
【００３７】
つまり、ハートウエディング事務局２８は、サーバ１０を用いて演出家集団３４に属する演出家毎にパーティの請負登録、パーティプランの提案、サービス登録料の支払いに関する各種情報を通信回線を介して受信することができる。
【００３８】
そして、ハートウエディング事務局２８は、サーバ１０を用いてコミュニティ３０に属するユーザまたはコミュニティ参加者の中の暫定幹事を担う幹事端末へパーティプランの提案情報、パーティ実施料の請求情報を通信回線を介して送信することができる。
【００３９】
ハートウエディング事務局２８は、ユーザ端末２０ａまたはユーザ端末２０ｂからサーバ１０へ送信されたパーティの発注情報を確認してから、出資者３６に対してパーティの設営委託、パーティ実施委託、パーティの設営および運営費用を分配し、出資者３６によるパーティの設営および運営が実行される。このパーティが実行された後に、ハートウエディング事務局２８は出資者３６からパーティの設営および運営費用の請求情報を受領しパーティの決済が完了する。
【００４０】
勿論、上述したようにパーティの演出は演出家集団３４の中から選択された演出家によるパーティ演出プランの製作により実行されることは言うまでもない。
【００４１】
図下部に示す出資者および広告代理店３２は、ハートウエディング事務局２８に対してウエブサーバ１２によるコミュニティウエブサイト情報１８の中に広告の掲載依頼やこの広告費の支払いや商品の協賛に関する各種情報を通信回線を介してサーバ１０へ伝送することもできる。  
【００４２】
すなわち、出資者および広告代理店３２は、広告掲載企業集団４６から二人の新しいスタートに関する提案（ニューライフ）情報や、広告掲載企業集団４６が蓄積するカップル情報を分析し、数年後にも新たなパーティの提案（アフターウェディング）情報を立案することができる。例えば、広告掲載企業集団４６がウエブサイトまたは催物会場若しくはスポンサー企業から各種情報を収集し蓄積することでニーライフ情報およびアフターウエディング情報を個別に生成するのである。
【００４３】
より具体的には、出資者および広告代理店３２が不動産物件情報、住宅情報、保険情報、クレジットカード情報、旅行情報、指輪のようなアクセサリ情報、温泉のような観光情報を収集し蓄積することで、ニーライフ情報およびアフターウエディング情報を個別に生成するのである。
【００４４】
ハートウエディング事務局２８は、サーバ１０を用いてハートウエディング事業の準備を司り、サーバ１０のシステム設計および開発を遂行し、コミュニティ情報の全体を統括するとともにコミュニティ情報を管理することができる。
【００４５】
また、ハートウエディング事務局２８は、インターネット環境へ接続できる施設にサーバ１０を設置し、サーバ１０のシステムを経由させてパーティプランの提案情報をユーザ端末２０ａやコミュニティ参加者端末へインターネットを介して配信することができる。
【００４６】
そして、ハートウエディング事務局２８は、パーティ設営や運営の手配や費用の請求（パーティ実施料）やハートウエディングサービスへの登録料の請求処理をサーバ１０を介して実行することができる。なお、ハートウエディングサービスの収入情報および利益の分配もサーバ１０を介して実行する。
【００４７】
図３は、本実施形態のサーバによるコミュニティ情報の管理装置の動作フローを示す図である。図示する部材が図１または図２と同一または類似であれば、同一または類似の符号を付し、重複する説明を省略する。
【００４８】
ハートウエディング事務局２８は、出資者３８や出資者４０や出資者４２から出資を受けてサーバ１０に関する事業準備資金を獲得し、コミュニティ集団３０からパーティ費用を回収し、演出家集団３４の中から選択された演出家からハートウエディングサービス登録料をも回収する。
【００４９】
そして、ハートウエディング事務局２８は、サーバ１０を介して出資された資金並びに回収したサービス料金から出資者３６に対する支払い処理および出資者３２に対する広告費用の支払い処理を実行する。
【００５０】
本実施形態によれば、コミュニティが自立的にインターネット上に育ち、パーティの制約を決定するので、自立的に育つコミュニティのパーティ制約（資金、場所、日時）に応じて、コミュニティに対して、企業やアーティストからパーティプランが提案されるため、パーティ予定日の一定期間前にパーティ制約をインターネット上（例えば、ウエブサイトまたは電子メール）で確定することができ、パーティの仕様を毛停止、パーティ実施準備プロセスをサーバ１０を経由させて実行することができる。
【００５１】
また、コミュニティ集団に属する他のカップルに提供したイベント参加により、例えば「１」のユーザが他の複数「ｎ」のコミュニティ参加者のパーティ参加履歴情報から、ユーザ自身のウエディングのパーティを企図する際に多数「ｎ」のパーティ参加者から自身「１」のパーティ参加者へと提供側から享受側へ主体を遷移させることができ、従来の結婚式場が支配していたマーケットを複数のコミュニティ参加者および複数の演出家に解放することができる点で有益である。
【００５２】
サーバ１０によるコミュニティ情報の管理装置の運用  
【００５３】
本実施形態をナイトウエディング（儀式）に適用して説明する。このコンセプトは、すべての行為の源となり精神を自由にするという意義がある。その時、パーティ参加者は心と宇宙はひとつとなり自由と無限空間（例えば、大調和）という世界観を提供することができる。
【００５４】
例えば、３０代の５０％以上が再婚をする現代において、新たな結婚式の手法が求められている。従来の本人（両家）の費用負担により開催される伝統的な結婚式形態から、現代はカップルを取り巻く仲間、すなわち「コミュニティ」が二人を祝して暫定幹事がコミュニティ参加者を招待するという形態に変化しつつある。
【００５５】
つまり、会員制のウエディングパーティ形式へとシフトすることにより、より日常的で身近なイベントとしてのウエディングパーティを企画し提案することができる。このウエディングパーティの開催形式についても、従来の結婚式場が主導する因習的な手法から、よりファッシュナブルで柔軟な開放的な開催形式をサーバ１０を中核的要件として実現できる。
【００５６】
ナイトウエディングは、デジタル掛け軸Ｄ−Ｋや光および音楽が融合し美しく且つ神秘的なパーティを提供することができる。
【００５７】
ナイトウエディングは、日没後の夜に開催されるのでパーティ参加者達は神と人々が近づくという心理的効果を共有することができ、ワーキングデイであっても通常は労働時間外の夜であれば参加者も集いやすいし、毎日であっても結婚式を開催できるという利点がる。
【００５８】
ナイトウエディングは、パーティ参加者がそれぞれの役割（先輩や後輩や仕事関係者）を担ってパーティを盛り上げることができるし、リアルタイムでしかもライブによりパーティに参加できるので、各自の演出ではなくアドリブでパーティを活用することができる。
【００５９】
そして、通信回線であるインターネットや携帯電話機やＰＤＡ機器を利用して、日本国内のみならず全世界と情報をリンクさせ、今まさに世界の中で我々が結婚式パーティを挙行しているという実感をパーティ参加者に共有させることができので、例えば病院へ入院しているおばあちゃんから電子メールによる呼び出しや、アメリカ合衆国の元副大統領であるゴア氏から電子メールによる祝電もサーバ１０を介して受信することもできる。
【００６０】
また、結婚式パーティ会場を利用し演出家による設定により会場の雰囲気をガラリと変化させ、新たなアンビエントなバー（ＢＡＲ）に早変わりさせるとことでウエディングパーティの２次会の会場として利用させることもできる。
【００６１】
さらに、パーティ会場にインターネット環境を設定し、端末が有名人からの電子メールやスカイプ若しくはビデオストリーミング技術を用いて多数のメッセージを会場内で受信しパーティ参加者へ披露するこもできる。
【００６２】
なお、パーティの様子をパーティ参加者のだれでもライブで視聴することができるので、インターネット上に設けられたテレビサイトにパーティライブをアップロードすることができるため、パーティの実況中継がインターネットにアクセスできる不特定人にも視聴させることができる。
【００６３】
そして、サーバ１０によるコミュニティ情報の管理装置によれば、カップルを取り巻くコミュニティ主導でウエディングパーティを会費制で実行することができ、再婚時にも気軽にパーティを執り行える状況を生成することができる。
【００６４】
また、サーバ１０は、ウエディング記念日として、１周年、３周年、５周年、１０周年、２０周年、銀婚式のような祭事（パーティ）をメモリ装置１４のデータデース領域に記憶し、カレンダ情報と一致するか否か照合処理を遂行しながら、記念日の所定期間前にコミュニティ参加者のコミュニティ参加者端末へ祭事（パーティ）の案内情報を電子メールで発信させることもできる。
【００６５】
さらに、サーバ１０は、バチュラーデイとして、独身生活に別れを告げる意味で、新郎となるユーザがユーザ端末２０ａまたは２０ｂから最後のドンちゃん騒ぎをするパーティ情報を受信しコミュニティ３０に属するパーティ参加者のコミュニティ参加者端末へこのパーティ情報を同報送信することもでき、ウエディング同窓会としてウエディングパーティに参加されたコミュニティ参加者のコミュニティ参加者端末へウエディングパーティ後の状況を報告する新たなパーティ情報をサーバ１０を介して同報送信することもできる。なお、暑気払いイヤーエンドパーティのような新たな企画も同様にサーバ１０を介してコミュニティ参加者端末へ同報送信することもできる。
【００６６】
ここで、ウエディングパーティ会場の他に、既存のクラブ、レストラン、ギャラリ、ファッシンショウに用いられるパーティスペース、公共施設である橋の上、市役所のホールでもパーティ会場として候補に上げることができ、演出家集団３４が適宜提案してもよい。
【００６７】
演出家集団３４は、例えばデジタル掛け軸Ｄ−Ｋ（空間演出）やディスクジョッキＤＪ（音楽による空間演出）や演出家のファッションショウや演出家によるパーティ演出手段やフードコーディネータ（パーティに提供する料理による演出）をサーバ１０へ提案情報として送信するすることができる。
【００６８】
本実施形態を構成するパーティ開催の決定情報を電子メール用いて例示する。
【００６９】
電子メールの内容は、「○○会を幹事していた○○氏が、今年の○月○日に○○さんと結婚いたしました。新郎はラジオやＤＪイベントにおいて、作曲家として多岐にわたる活躍をする才色兼備な方です。新婦の○○さんは作曲家、○○として活躍する才色兼備な方です。そこで、パーティの主催として新郎および新婦を招いてイベント（ハートウエディング）を挙行します。友人などもお誘いあわせお越下さい。会場：○○、日時：○○、会費：○○」という文字情報をコミュニティ参加者へサーバ１０を経由させて送信する。
【００７０】
このように、パーティプランの制約に合致する条件をサーバ１０を経由させて演出家（アーテイスト）や企業が幹事端末に提案し、関連するコミュニティ参加者が増大することでコミュニティ集団３０が拡大するのである。したがって、パーティプランに与える制約も自動的に変化するので、例えば、ミクシイやフェースブックやＧｍａｉｌのような電子化された宛先リスト情報から、カップルに関連する潜在的コミュニティメンバーをサーバ１０がインポートすることができる。
【００７１】
以下に、ユーザ端末２０ａおよび２０ｂ若しくは演出家端末の通信キャリアの固有番号を用いた決済システムの処理について説明する。
【００７２】
ドコモ（登録商標）は、DoCommerce（登録商標）に2次元コードを使った決済を追加した。このサービスは、クレジットカード決済代行サービス「DoCommerce」に、携帯の画面に表示させた2次元コードを請求書代わりに使うサービス「コンビエン」が追加される。なお、２次元コードはコミュニティウエブサイト情報１８および演出家用ウエブサイト情報２２に表示することにより本実施形態が実施することができる。
【００７３】
ドコモ（登録商標）、KDDI（登録商標）、J-フォン（登録商標）、NTTインターネット（登録商標）の4社で収納に関する規格を統一した。
【００７４】
NTTドコモ（登録商標）は、iモード向け決済サービスDoCommerce（登録商標）に、2次元コードを使ったコンビニエンスストアでの支払い方法「コンビエン」を追加する。この決済方法を利用できる加盟店は、当初「NTT-X Store」。ポニーキャニオンなど順次加盟店を拡大する。 
【００７５】
ユーザーは、Webサイトで商品を購入する際に料金をコンビニエンスストアam/pm（登録商標）の店頭で支払うことができるようになる。ネット上の店舗から請求書が2次元コードの形でユーザーの携帯電話に発行され、コンビニ側は請求書代わりに携帯ディスプレイ上のコードを読み取ることができる。
【００７６】
サイト運営者側は請求書に関するコストが削減でき、ユーザーは、クレジットカードや銀行振込のほか、コンビニでの現金支払いが可能になり、支払方法が多様化するというメリットがある。 
【００７７】
利用方法は、携帯電話からDoCommerce（登録商標）サイトにアクセスし、ユーザー登録を行う。料金は無料。iモード（登録商標）の公式メニューからたどることはできず、ユーザーはURLを入力する必要がある。 
【００７８】
携帯3社は、規格を統一し、コンビエン（登録商標）に利用する2次元コード（QRコード）については、「収納に関する規格を4社で統一」した。
【００７９】
同種のサービスの提供について、J-フォン（登録商標）は「検討項目のひとつだが、具体的なことは決まっていない」としている。なお、コンビエンを使って支払いが行えるコンビニは現在のところam/pm（登録商標）全店。ドコモ（登録商標）は「収納機関という位置づけで拡大していきたい」とする。 
【００８０】
ここで、ＳＩＭカードについて説明する。非公式サイトでの課金のため?モバイルコンテンツフォーラム(MCF)のかねてよりの悲願?「かんたんログイン」実装のため、ユーザID入力やパスワード入力を省略（cookieの代替としてIDを利用）し、警察捜査、発信者開示請求のためのIPアドレスではなく契約者固有IDで発信者を特定する。
【００８１】
悪質利用者排斥のため、悪質利用者を契約者固有IDで識別して出入り禁止にする。青少年ネット規制対抗策として、EMA「コミュニティサイト運用管理体制認定基準」の要件としてモバイル広告ビジネスのため、IDで閲覧履歴を収集して行動追跡型ターゲット広告を実現する。
【００８２】
契約者固有IDとは、iモードの場合、2008年3月末以前は公式サイトにしか契約者IDは送信されなかったが端末固有番号を送信させる方法は存在していた。その都度ユーザの同意確認が必要であり2008年3月末以降、新たに「iモードID」の送信が開始?リンクのURLに「guid=ON」を埋め込むと発動（ユーザの同意確認なし） する。
【００８３】
HTTPリクエストのヘッダに以下が挿入される。X-DCMGUID: xxxxxxx の設定で非通知にもできる（デフォルトで通知）。イーモバイルの場合は「EMnet」サービスを契約し、EMnetモードで接続した場合はIEからのアクセスでHTTPリクエストのヘッダにProxyが挿入するX-em-uid: xxxxxxxxxxxxxxxxxを利用することができる。
【００８４】
また、システムの開発を行ったNTTドコモ（登録商標）の携帯電話による決済インフラ自体の普及を優先させるため、囲い込みを行わず他社にもシステムや商標権がライセンスされ、ドコモ（登録商標）、KDDI（登録商標）、ソフトバンクモバイル（登録商標）、ウィルコム（登録商標）の4キャリアともこの「おサイフケータイ」の名称を使用している。
【００８５】
上述した「おサイフケータイ」で提供されるサービスは、Edy（登録商標）をはじめとした電子マネー、各種会員証、量販店のポイントカード、鉄道やバス・旅客機の乗車券（乗車カード）・航空券、クレジットカードとしての利用など多岐にわたる。
【００８６】
携帯電話本体のバッテリーからの電源供給によって動作し、携帯電話そのものを専用アプリを通じてFeliCa（登録商標）のGUIとして利用することができる。また、多数のサービスを1台の携帯電話で利用することが可能である。非接触IC内蔵の携帯電話が市場商品化されているのは日本だけであるが、NTTドコモ（登録商標）はNear Field Communication (NFC) Forumに参加して国際標準化に向けて活動している。
【００８７】
iモードFeliCa（登録商標）：NTTドコモ（登録商標）では、日本で初めてのFelica（登録商標）対応携帯電話（iモードFeliCa）を発表した。
【００８８】
おサイフの名のとおり電子マネーとして自動販売機、店舗やインターネット通信販売での支払いの用途を中心に、乗車券・チケット・ポイント・会員証など、さまざまな用途に使われている。FeliCaチップを採用している電子マネーサービスEdy（登録商標）や東日本旅客鉄道（登録商標）の乗車カードSuica（登録商標）などが、おサイフケータイに対応している。
【００８９】
これらの事業者にとっては、カード保有者の裾野を大きく広げることができるほか、ネット通販での買い物を支払まで携帯で完結できる、カードへの入金をiモードなどを用いて携帯電話だけで完了することで入金の手間をユーザーが省くことができる。
【００９０】
従来書き込まれた情報を表示する機能がなかったカードに携帯電話の画面が付くことで、チャージ金額や利用履歴などを即時確認できる、iモード（登録商標）などと連携したポイントサービスや最新情報の提供ができるなどのメリットがある。少額、あるいは端数金額の決済が容易である電子マネーの特徴を生かし、ゲームセンターでのゲーム料金の決済に利用される例もある。
【００９１】
また、量販店のポイントカードや各種プリペイドカード・会員証などは、消費者・販売店双方にメリットがある一方で、すべてを管理し持ち歩くことが消費者にとって大きな負担となっていた。おサイフケータイではそれらサービスを1台の携帯電話に一本化することができる。ビックカメラ（登録商標）のポイント還元・全日本空輸（登録商標）のマイル還元などが対応した。「ケータイで街をブックマーク」を合言葉に、小規模店舗でも手軽に会員証システムが利用できるTOWNPOCKETというサービスが開始された。
【００９２】
その他、電子チケットをネットワーク上からダウンロードし、おサイフケータイ対応携帯電話を航空券やイベントチケットの代わりにすることでチケット発行の手間を省くサービスや、複製困難な無形の鍵として、マンションの鍵に採用する事例もある。
【００９３】
また、カード機能とは直接関わらないが、FeliCa（登録商標）チップに個別に内蔵されている独自の情報を利用して、高度なセキュリティ機能を実現できることから、おサイフケータイ対応携帯電話にクレジットカードの子カードとしての機能を付帯させるサービス「eLIOオーダー」をソニーファイナンスインターナショナル（登録商標）が開始した。この決済方法はクレジットカード番号を一切入力せず、FeliCa（登録商標）チップ内蔵の情報のみを使ってやりとりを完了させるため、技術的にも高セキュリティであり、ユーザーも安心感を得ることができる、と説明されている。さらに、一般のFeliCa専用のカードリーダーPaSoRiでも使用することができる。
【００９４】
しかしながら、おサイフケータイは決済機能をはじめとする複数の機能を携帯電話に一本化する強力なプラットフォームであるため、携帯電話を紛失・破損したり、盗難に遭った場合のリスクがある。盗難におけるリスクは従来のクレジットカードなどにもみられる問題であるが、多種の電子マネーなどが携帯電話に内蔵されることで、ユーザーは多くの手続きを自己防衛のために求められることになる。
【００９５】
おサイフケータイは携帯電話の電波が入らない場所でも各サービスの基本機能が利用できるように設計されているため、携帯電話を盗難、あるいは落とした際、携帯電話回線を停止しても携帯電話に登録されているクレジットカード・プリペイドカード・定期券などの機能が同時に停止することにはならない。
【００９６】
したがって利用者は、自ら各サービス事業者に連絡を取り、使用停止の手続きを行わなくてはならない。なお、特にクレジットカードに対する抵抗感の根強い日本においてこれらの不安点を解消するために、電話回線やメール着信を通してFeliCa（登録商標）の機能をロックする機能を持つ端末も発売されており、消費者の保護をアピールしている。
【００９７】
さらに、紛失・盗難の際は各事業者に連絡することで利用停止ができるが、携帯本体の機能としてあらかじめ設定しておくことにより遠隔でおサイフ機能含め携帯の全ての機能をロックすることができる。
【００９８】
さらにまた、普段はICカードロックをかけておき、使用する時だけ解除する（解除後あらかじめ設定した時間が経過すると、自動でロックがかかる機能もある）ことによって盗まれても遠隔操作なしにおサイフ機能を使わせないことができる。モバイルSuica・nanacoは電話でセンターに連絡することで利用停止ができ、smartplus・QUICPay・iD等のクレジットサービスの場合はセンターに連絡した日から60日遡って被害額が全額保証される。
【００９９】
一方身分証明書として会員証や社員証・鍵などに用いる場合、認証を行う側からみれば、携帯電話を拾った者になりすましをされるなどのリスクも考えられる。従来の身分証明書では顔写真など券面に盛り込まれていた情報をどのように盛り込むかが課題となる。
【０１００】
また、従来から提供されていた非接触ICカードサービスのプラットフォームには、カードを挿入することを前提とした設計がなされているものも少なくないため、従来のインフラが活用できない場合もある。
【０１０１】
入金機などにカードが挿入できないことから、おサイフケータイではオンライン上でチャージを行うことを前提としたサービスが一般的であるが、この場合、携帯電話のバッテリーが切れたり、電波の入らない場所ではチャージは行えないことになる。
【０１０２】
すべてのシーンで安心して利用できるサービスの提供に、今後とも工夫が必要とされるが、最も普及している情報端末である携帯電話に導入される電子の「おサイフ」として期待は大きく、多くのビジネスモデルが提案されている状況である。
【０１０３】
おサイフケータイのFeliCa（登録商標）チップは携帯電話に固定されており取り外しが出来ない。SIMカードやmicroSDカードのような取り外してのデータ移行は出来ない。修理・機種変更の際にはSuica, EdyなどFeliCa内のデータを各サービス会社に預け、修理後・機種交換後にデータを戻す必要がある。Edyのように個人情報・クレジットカードの再登録が必要なケースもあり手続きは煩雑である。
【０１０４】
次に、日本人にとって、携帯電話はもはや必需品になったと言っても過言ではない。携帯電話を知らない人もまずいないだろう。だが、携帯電話において重要な役割を果たす「SIMカード」は、あまり知られていないように思える。そこで今回、SIMカードの持つ役割と活用法について、詳しく紹介する。
【０１０５】
現代の携帯電話では必須のSIMカード。NTTドコモ（登録商標）のFOMAカード(UIM)、ソフトバンク（登録商標）のUSIMカード、イー・モバイル（登録商標）のUSIMカード(音声契約用)、同じくイー・モバイル（登録商標）のUSIMカード(データ契約用)である。
【０１０６】
そもそも「SIMカード」とは、SIMカードの"SIM"は、"Subscriber Identity Module"の略である。日本語に訳すと、「契約者特定モジュール」といった感じになる。要するに、携帯電話回線の契約情報を書き込んであるICチップがSIMカードなのである。
【０１０７】
SIMカードには、1枚1枚に書き換え不能な固有番号が記録されている。この固有番号とカードに書き込まれた携帯電話番号がキャリアのネットワーク上で一致していることが確認されると、初めて携帯電話として通信を行えるようになる。それが確認できないと、当然、利用できない。
【０１０８】
SIMカードは、日本や韓国を除く世界中で普及している第2世代携帯電話(2G)規格であるGSM方式で初めて採用された。また、第3世代携帯電話(3G)規格であるW-CDMA方式でもSIMカードに対して上位互換性を持ったUIM(User Identity Module)カード、またはUSIM(Universal SIM)カードとして採用されている。この記事では、特に断りの無い限り、UIMカード、USIMカードも”SIMカード”と呼ぶ。
【０１０９】
携帯電話端末のSIMカードスロット。写真は、ドコモ（登録商標）のF-01A/auのW51H/ソフトバンク（登録商標）の930SC/イー・モバイルのD02HWのSIMカードスロット。SIMの脱着方法は端末によりさまざまなので、端末の取扱説明書を参照するとよい。
【０１１０】
SIMカードは、容易に脱着できる小さなICチップである。また、SIMカードと携帯電話端末は原則として契約上の連動性はない(契約上の連動性を持つこともある。そのため、SIMカードを別の携帯電話端末にさしかえるだけで機種変更が完了するというメリットがある。また、SIMカードには電話帳(とは言っても簡易的なものだが)やSMS(ショートメッセージ)を記録することもできるので、電話帳やSMSもSIMカードごと移動できて便利だ。
【０１１１】
加えて、同じSIMカードを複数の端末で使い回すことも可能なので、TPOに応じて電話番号を変えずに端末だけ変えるといった使い方ができる。例えば、プライベートと仕事で端末を使い分けたり、通話するときとネットを楽しむときに使い分けたり、といった具合である。
【０１１２】
また、同じ端末に複数の携帯電話事業者のSIMカードをさしかえて使い回すことも可能だ。海外の携帯電話では、さまざまな通信事業者のSIMカードを自由に入れ替えて使えるいわゆる「SIMフリー端末」が一般的なので、滞在場所に応じて一番お得な料金で通話・通信を行えるSIMカードに入れ替えることで、通信料金の節約ができる。
【０１１３】
日本では、日本のオリジナル規格である、PDC方式が広く普及した。PDC方式は、2Gとして「電波システム開発センター(現在の電波産業会)」が規格策定し、NTTドコモ（登録商標）が主導して普及を図ろうとした通信方式である。
【０１１４】
このPDC方式では、携帯電話端末に電話番号などの契約情報を直接書き込む方式を採用していた。そのため、機種変更時は店頭の機械を利用して契約情報の移行を行う必要があり、機種変更後の古い携帯電話は新たに別の契約情報を書き込まない限り使えなくなってしまうという欠点もあった。
【０１１５】
また、キャリアが販売していない魅力的な端末を使うためにSIMを活用する手もある。たとえば、「HTC P3600」など、W-CDMA方式のSIMフリー端末であれば、ドコモのFOMAカードやソフトバンクのUSIMカードを挿して使うということもできる。
【０１１６】
また、ソフトバンク（登録商標）のUSIMカードはホワイトプランで契約してソフトバンク（登録商標）同士の通話に使い、定額時間・対象外の通話には好みのプランで契約したFOMAカードを入れて使うといったことも可能だ。
【０１１７】
ここまで、携帯電話においてSIMカードが果たす役割や歴史、キャリアごとの特徴や活用法を説明してきたが、こうして見ると、普段は目に触れないところにあるSIMカードも大変おもしろい存在であることが分かる。
【０１１８】
図４は、本発明の他の実施形態を示すブロック図である。本実施形態は、健康について健康コミュニティに聞けというコンセプトに基づき、特定のコミュニティに対してブランドイメージを定着させることを目的とする。
【０１１９】
健康コミュニティサーバ５０は、健康知識データデータベースＤＢ５２および食品データベースＤＢ５４を備え、通信回線（例えば、インターネット）を介して検索エンジンであるＧｏｏｇｌｅ（登録商標）のウエブサイト５６、ポータルサイトであるＹａｈｏｏ（登録商標）のウエブサイト５８、Ａｍｅｂａ（登録商標）のウエブサイト６０、口コミグルメサイトの食べごろ（登録商標）のウエブサイト６２、宴会やグルメ情報サイトである「ぐるなび（登録商標）」のウエブサイト６４、料理のレシピ検索サイトであるall  recipes（登録商標）のウエブサイト６６、料理レシピサイトであるクックパッド（登録商標）のウエブサイト６８、ソーシャルユーティリティサイトであるFacebook（登録商標）のウエブサイト７０、コミュニティエンターテイメント・ソーシャルネットワーキングサイトであるｍｉｘｉ（登録商標）のウエブサイト７２の他に不図示の動画ポータルサイトであるＹｏｕＴｕｂｅ（登録商標）のウエブサイトや、リアルタイムコミュニケーションサイトであるＴｗｉｔｔｅｒ（登録商標）のウエブサイトにアクセスし、健康知識データデータベースＤＢ５２および食品データベースＤＢ５４に振り分けて記録することができる。
【０１２０】
図５に示すように、健康コミュニティサーバ５０は、通信回線（例えば、インターネット）を介してＧｏｏｇｌｅ（登録商標）のウエブサイト５６、Ｙａｈｏｏ（登録商標）のウエブサイト５８、Ａｍｅｂａ（登録商標）のウエブサイト６０、食べごろ（登録商標）のウエブサイト６２、ぐるなび（登録商標）」のウエブサイト６４、all  recipes（登録商標）のウエブサイト６６、クックパッド（登録商標）のウエブサイト６８、Facebook（登録商標）のウエブサイト７０、ｍｉｘｉ（登録商標）のウエブサイト７２の他に不図示のＹｏｕＴｕｂｅ（登録商標）のウエブサイトや、Ｔｗｉｔｔｅｒ（登録商標）のウエブサイトにアクセスし、商品情報やレストラン情報や料理のレシピ情報や健康に関する専門知識情報を収集し蓄積することができる。
【０１２１】
そして、 健康コミュニティサーバ５０は、通信回線（例えば、インターネット）を介してアクセスするコミュニティ３０に属するユーザが使用するユーザ端末２０ａまたはユーザ端末２０ｂの検索情報およびメッセージ情報を受信し、健康に関する知識の共有や健康に関する議論の場の提供や健康に関する学習資料の提供やコミュニティのユーザ情報の記録や商品購入代行処理を実行することができる。
【０１２２】
本実施形態によれば、リアルタイム（例えば、データベース５２、５４を１５分間隔で更新）に健康コミュニティに提供することができ、電子商取引の販売インフラを１箇所の健康サーバ５０に集約でき、
健康に関するコミュニティを増大させることができる。したがって、ユーザ端末２０ａ、２０ｂから入力された検索情報により過去のアーカイブおよび現在のコミュニティ情報を通信回線を介してリアルタイムに自動的に提供することができる。
【０１２３】
そして、健康志向商品を製造または販売する企業の企業価値を向上させると共に、健康個コミュニティサーバ５０に記憶する広告情報をウエブサイト情報としてコミュニティに提供することで広告収入を獲得することができ、健康志向商品の売り上げを向上させ、企業の社会貢献により健康志向商品の信頼性やブランドを高めることもできる。
【０１２４】
すなわち、百科事典情報をWikipedediaのウエブサイトにアップロードした場合、検索速度が向上し情報がデジタル化し、コミュニティのユーザが参加することで精度が向上するの対し、本実施形態の健康コミュニティサーバ５０が集約する情報によれば情報のデジタル化、健康志向商品の信頼性向上、健康志向商品の多様性、利用コストが低額、コミュニティのユーザに情報入手機会を均等にできるという利点がある。したがって、健康コミュニティサーバ５０では、レストランの格付けをするミシュラン（登録商標）、世界で最高の記録付けをするギネス（登録商標）と同様に、インターネットの環境で健康に関するサービスや商品を格付けすることができる。
【０１２５】
健康コミュニティサーバ５０は、健康に関するコミュニティサイトを構築し、健康知識データベースDB５２に健康に関するキーワードを登録する。例えば、健康に関するウエブサイトのURLや健康に関する健康キーワードが該当する。  
【０１２６】
健康コミュニティサーバ５０は、健康知識データベースDB５２からURLや健康キーワードを読出し、通信回線（例えば、インターネット）を介して上述した複数のウエブサイト５６乃至７２にアクセスして、健康キーワードにより健康志向商品情報やレストラン情報や健康志向料理レシピ情報と自動的にリンクする。健康コミュニティサーバ５０は、メンテナンス期間を除き２４時間３６５日稼動し、自動的にリンクする複数のウエブサイトウエブサイト５６乃至７２の情報を食品データベースDB５４に記録する。
【０１２７】
健康コミュニティサーバ５０は、健康情報や食生活情報を用いて食品データベースDB５４に記録する情報をパーソナルデータ管理アルゴリズムにより専門知識に基づいてパーソナル健康管理データを評価しランク付けを実行する。
【０１２８】
コミュニティに属するユーザは個々のユーザ端末（パーソナルコンピュータや携帯電話機）を用いて検索情報を通信回線（例えば、インターネット）を介して健康コミュニティサーバ５０へ送信し、検索結果を受信する。
【０１２９】
このように、本実施形態によれば、コミュニティ３０に属するユーザーは、ユーザ端末２０ａ、２０ｂを操作するだけで、通信回線（例えば、インターネット）を介して健康コミュニティサーバ５０へアクセスできるので、リアルタイムに健康に関するデジタル情報を入手でき、異なる言語でも異なる地域でも異なる機会でもすべてのユーザが健康情報をにアクセスでき、信頼性の高い格付けされた健康商品およびサービスを購入または知得することができる。
【０１３０】
したがって、ユーザは医師に相談する手間を省くことができ、医療費を提言させることができ、医療百科事典に比して最新の情報にアクセスでき、医療百科事典を購入する費用を節約することもできる。また、Ｇｏｏｇｌｅ（登録商標）やＷｉｋｉｐｅｄｉａを検索しても信頼性の高い健康情報を選択することが困難なため、健康コミュニティサーバ１０は政府が提案する「日本健康情報コミュニティ」構想を満たす社会公共に資する技術である。
【０１３１】
次に、健康コミュニティサーバ１０の情報提供カテゴリを説明する。
【０１３２】
（Ａ１）健康に関する専門知識検索、閲覧機能（例えば、スポーツ栄養学）、生理学情報
（Ａ２）ロールモデルのインタビュー閲覧機能
（Ａ３）ロールモデルの摂取食事参照機能（例えば、アスリート、モデル、俳優）に個別対応する知識情報
（Ｂ１）ユーザの位置情報および時間情報を受信し、ユーザの近隣レストラン情報やコンビニの検索機能
（Ｃ１）摂取食事についてその摂取量や摂取時間の記録機能
（Ｃ２）健康管理情報（例えば、ユーザの体重や身長や体脂肪率）の記録および管理若しくは画像によるチャート情報の提示
（Ｄ１）摂取食事情報から、摂取栄養価の種類と料を分析若しくは推定処理結果の提示
（Ｅ１）健康管理目的（例えば、ユーザのプロフィールやダイエット中や瞬発系アスリート）の登録機能
（Ｅ２）スポーツ栄養学や生理学の知識による摂取食事の提案情報および摂取食事の制限情報の提供
（Ｅ３）ユーザの位置情報および時間情報を受信し、健康知識データベースＤＢ５２に記憶する健康管理情報や健康管理目的情報により最適摂取食事情報および摂取時間の演算結果を提示
（Ｅ４）最適摂取食事情報に推奨健康商品の詳細情報をユーザ端末へ表示させる機能（例えば、健康食品広告機能）
【０１３３】
健康コミュニティサーバ１０は、例えば、ユーザ端末２０ａ、２０ｂから入力された情報（目的：ダイエット中、年齢：３０代、性別：女性、場所：東京都○○区○町のオフィス、時間：２０時００分、ステータス：残業中、希望：軽食を摂取したい）を受信し、ＣＰＵがコンピュータソフトウエアプログラムを実行することで、パラメータをチェックし出力情報として、条件に合致するような摂取してよい食品を食品データベースＤＢ５４から抽出する。この場合、ビタミンや糖分や炭水化物は夜間にとり過ぎない方が良いと選択し、ユーザが位置するオフィスの周辺で購入または利用可能なレストラン、スーパーマーケット、コンビニエンスストアの情報に温野菜サラダ（コンビニエンスストア○○駅前店、ビタミン○○ｇ）や製品別情報や店舗別情報や栄養価値別情報から選択させるようにユーザ端末２０ａまたはユーザ端末２０ｂのディスプレイに表示させることができる。
【０１３４】
以上、本発明の好ましい実施形態について詳述したが、本発明に係る実施形態に限定されるものではなく、特許請求の範囲に記載された本発明の要旨の範囲内において、種々の変形、変更が可能である。
【符号の説明】
【０１３５】
１０  サーバ
１２  ウエブサイト
１４  メモリ装置
１６  メールサーバ
２０ａ、２０ｂ  ユーザ端末
２４ａ〜２４ｈ  演出家端末
【図１】
2011022928.tif 000003
【図２】
2011022928.tif 000004
【図３】
2011022928.tif 000005
【図４】
2011022928.tif 000006
【図５】
2011022928.tif 000007